(57)【特許請求の範囲】
【請求項１】
洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、
前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、
前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、
前記洗剤を溶解させる行程の開始時において、前記水位検知手段が前記所定水位以上の水位を検知している場合は、前記給水弁を動作させることなく、前記所定回転数での回転を前記第１の所定時間より長い第２の所定時間行う前記洗剤を溶解させる行程を実行するようにした洗濯機。
【請求項２】
洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、
前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、
前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、
前記洗剤を溶解させる行程の開始時において、前記水位検知手段が前記所定水位以上の水位を検知している場合は、前記給水弁を動作させることなく、前記洗剤を溶解させる行程の回数を前記水位検知手段が所定水位を検知していない場合の前記洗剤を溶解させる行程の回数より多く実行するようにした洗濯機。
【請求項３】
洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、
前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、
前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、
前記洗剤を溶解させる行程の開始時において、前記水位検知手段が前記所定水位以上の水位を検知している場合は、前記給水弁を動作させることなく、前記水位検知手段が検知した水位に応じて変更した所定回転数で前記洗剤を溶解させる行程を実行するようにした洗濯機。
【発明の詳細な説明】
【０００１】
【発明の属する技術分野】
本発明は、洗剤を効率的に溶解させて洗濯する洗濯機に関する。
【０００２】
【従来の技術】
従来、洗濯機は図７に示すように構成していた。以下、その構成について説明する。
【０００３】
図７に示すように、外槽２３は、回転自在に配設した洗濯兼脱水槽２４を内包し、吊り棒２５により洗濯機外枠２６に吊り下げている。モータ（駆動手段）２７は、Ｖベルト２８および減速機構２９を介して洗濯兼脱水槽２４および洗濯兼脱水槽２４の内底部に回転自在に配設した撹拌翼３０を回転駆動する。カバー体３１は、外槽２３の上部に設け、散水用の吐出部を形成するものである。
【０００４】
給水弁３２は、洗濯兼脱水槽２４内に水を給水するものであり、水位検知手段３３は、外槽２３内の水位を検知するもので、排水弁３４は外槽２３内の洗濯水を排水するものである。洗剤通路部３５は上方から粉末合成洗剤などを投入することにより、洗剤を外槽２３と洗濯兼脱水槽２４との間に投下させるよう構成しており、洗剤を直接投下させる洗剤投下手段を形成している。環状の流体バランサー３６は脱水時の振動を低減するものである。制御装置３７は、モータ２７、排水弁３４、給水弁３２などを制御して、洗濯、すすぎ、脱水の各行程を逐次制御するものである。
【０００５】
上記構成において動作を説明すると、洗濯兼脱水槽２４内に洗濯物を投入し、洗剤通路部３５に洗剤を投入した後、運転を開始すると、給水弁３２を作動させて給水を開始し、
洗濯兼脱水槽２４が回転を始める。水位検知手段３３が所定水位Ｓａを検知すると、給水弁３２の動作を停止し、洗濯兼脱水槽２４の回転数を所定回転数Ｒａまで上昇させる。
【０００６】
洗濯兼脱水槽２４の回転数が上昇することにより、外槽２３と洗濯兼脱水槽２４との間の洗剤（洗濯水）を撹拌する力が増大し、外槽２３と洗濯兼脱水槽２４との間の洗剤が溶解される。洗濯兼脱水槽２４の回転を所定時間Ｔａ行い、洗濯兼脱水槽２４の回転を停止させ、再び給水弁３２を作動させて給水を開始し、水位検知手段３３が洗濯時の水位を検知すると給水弁３２の動作を停止し、撹拌翼３０を動作させ、洗濯行程を開始する。
【０００７】
さらに、運転開始以前に、洗濯兼脱水槽２４内に所定水位Ｓａ以上の水がある場合には、洗濯行程前に洗濯兼脱水槽２４を所定時間Ｔａ、回転させて洗濯兼脱水槽２４と外槽２３との間の洗剤を溶解させる行程を行うようにしている。
【０００８】
【発明が解決しようとする課題】
しかしながら、この構成の洗濯機の場合、バケツ等で洗濯兼脱水槽２４の回転により洗濯兼脱水槽２４と外槽２３との間の洗剤を溶解させる行程を行う所定水位以上まで給水された後、運転を開始された場合、すなわち運転開始以前に洗濯兼脱水槽２４内に、洗濯兼脱水槽２４の回転により洗濯兼脱水槽２４と外槽２３との間の洗剤を溶解させる行程を行う所定水位Ｓａ以上まで水がある場合、洗濯兼脱水槽２４の回転により洗濯兼脱水槽２４と外槽２３との間の洗剤を溶解させる行程の時間は所定時間Ｔａのままであり、水位が高いほど外槽２３と洗濯兼脱水槽２４との間の洗剤（洗濯水）を撹拌する力は弱くなるため、外槽２３と洗濯兼脱水槽２４との間に投下された洗剤は十分には溶解されず、満足な洗浄性能は得られないという問題を有していた。
【０００９】
本発明は上記従来の課題を解決するもので、運転開始以前に洗濯兼脱水槽内に水がある場合においても、洗濯行程前に洗剤溶解性を高めることで、洗浄性能を向上し、洗いむらを低減することを目的としている。
【００１０】
【課題を解決するための手段】
本発明は上記目的を達成するために、洗濯物を収容する洗濯兼脱水槽を外槽内に回転自在に収容し、撹拌翼を洗濯兼脱水槽の内底部に回転自在に配設し、給水弁により洗濯兼脱水槽内に水を給水し、水位検知手段により外槽内の水位を検知し、洗濯兼脱水槽および撹拌翼を駆動する駆動手段、給水弁などの動作を制御手段により制御して行程を制御するとともに、洗濯兼脱水槽と外槽との間に洗剤投下手段により洗剤を投下するよう構成し、制御手段は、撹拌翼を回転させる洗濯行程の前に洗濯兼脱水槽の回転数を所定回転数まで上昇させ、この所定回転数での回転を第１の所定時間行った後、回転を停止することにより洗濯兼脱水槽と外槽との間の洗剤を溶解させる行程を実行するようにし、洗剤を溶解させる行程の開始時において、水位検知手段が所定水位より低い水位を検知している場合は、給水弁を動作させながら洗濯兼脱水槽を回転させ、水位検知手段が所定水位を検知すると、給水弁の動作を停止し、洗剤を溶解させる行程を実行するようにし、洗剤を溶解させる行程の開始時において、水位検知手段が所定水位以上の水位を検知している場合は、給水弁を動作させることなく、所定回転数での回転を第１の所定時間より長い第２の所定時間行う洗剤を溶解させる行程を実行するようにしたものである。
【００１１】
これにより、運転開始以前に洗濯兼脱水槽内に水がある場合においても、洗濯行程前に洗剤溶解性を高めることができ、洗浄性能を向上し、洗いむらを低減することができる。
【００１２】
【発明の実施の形態】
本発明の請求項１に記載の発明は、洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、前記洗剤を溶解させる行程の開始時において、前記水位検知手段が前記所定水位以上の水位を検知している場合は、前記給水弁を動作させることなく、前記所定回転数での回転を前記第１の所定時間より長い第２の所定時間行う前記洗剤を溶解させる行程を実行するようにしたものであり、バケツ等で給水された後、運転を開始された場合でも、洗剤を溶解させる行程の時間を長くすることにより、洗濯行程前における洗剤溶解性を高めることができ、洗浄性能を向上し、洗いむらを低減することができる。
【００１３】
請求項２に記載の発明は、洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、前記洗剤を溶解させる行程の開始時において、前記水位検知手段が前記所定水位以上の水位を検知している場合は、前記給水弁を動作させることなく、前記洗剤を溶解させる行程の回数を前記水位検知手段が所定水位を検知していない場合の前記洗剤を溶解させる行程の回数より多く実行するようにしたものであり、バケツ等で給水された後、運転を開始された場合でも、洗剤を溶解させる行程の回数を多くすることにより、洗濯行程前における洗剤溶解性を高めることができ、洗浄性能を向上し、洗いむらを低減することができるとともに、モータにかかる負荷を軽減することができる。
【００１４】
請求項３に記載の発明は、洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、前記洗剤を溶解させる行程の開始時において、前記水位検知手段が前記所定水位以上の水位を検知している場合は、前記給水弁を動作させることなく、前記水位検知手段が検知した水位に応じて変更した所定回転数で前記洗剤を溶解させる行程を実行するようにしたものであり、バケツ等で給水された後、運転を開始された場合でも、洗剤を溶解させる行程を洗濯行程前に効率的に行うので、洗濯行程前に洗剤溶解性を効率的に高めることができ、洗浄性能を向上し、洗いむらを低減することができるとともに、溶解されていない洗剤の洗濯兼脱水槽内への流入を防ぐことができる。
【００１５】
【実施例】
以下、本発明の実施例について、図面を参照しながら説明する。
【００１６】
（実施例１）
図１に示すように、外槽１は、回転自在に配設した洗濯兼脱水槽２を内包し、吊り棒３により洗濯機外枠４に吊り下げている。モータ（駆動手段）５は、Ｖベルト６および減速機構７を介して洗濯兼脱水槽２および洗濯兼脱水槽２の内底部に回転自在に配設した撹拌翼８を回転駆動する。カバー体９は、外槽１の上部に設け、散水用の吐出部を形成するものである。
【００１７】
給水弁１０は、洗濯兼脱水槽２内に水を給水するものであり、水位検知手段１１は、外槽１内の水位を検知するもので、排水弁１２は外槽１内の洗濯水を排水するものである。洗剤通路部１３は上方から粉末合成洗剤などを投入することにより、洗剤を外槽１と洗濯兼脱水槽２との間に落下させるよう構成しており、洗剤を直接投下させる洗剤投下手段を形成している。環状の流体バランサー１４は脱水時の振動を低減するものである。
【００１８】
制御装置１５は、図２に示すように構成しており、制御手段１６は、マイクロコンピュータで構成し、パワースイッチング手段１７を介してモータ５、給水弁１０、排水弁１２などの動作を制御し、洗濯、すすぎ、脱水などの一連の行程を逐次制御する。入力設定手段１８は、運転コース等を設定するもので、制御手段１６は入力設定手段１８からの情報を入力して、その情報を基に表示手段１９で表示して使用者に知らせる。記憶手段２０は、制御手段１６により制御するのに必要なデータを記憶している。なお、２１は商用電源、２２は電源スイッチである。
【００１９】
ここで、制御手段１６は、運転開始以前に洗濯兼脱水槽２内に水がある場合には、洗濯兼脱水槽２の回転により洗濯兼脱水槽２と外槽１との間の洗剤を溶解させる行程の時間を運転開始以前に洗濯兼脱水槽２内に水がない場合の時間よりも長くするようにしている。
【００２０】
上記構成において図３を参照しながら動作を説明すると、洗濯兼脱水槽２内に洗濯物を投入し、洗剤通路部１３に洗剤を投入した後、洗濯兼脱水槽２の回転により洗濯兼脱水槽２と外槽１との間の洗剤を溶解させる行程を行う所定水位Ｓａ以上の水位Ｓ１までバケツ等で給水し、運転を開始された場合、水位が高いほど外槽１と洗濯兼脱水槽２との間の洗剤（洗濯水）を撹拌する力は弱くなるため、所定時間Ｔａの洗濯兼脱水槽２の回転では、外槽１と洗濯兼脱水槽２との間に投下された洗剤は十分には溶解されない。
【００２１】
このため、洗濯兼脱水槽２と外槽１との間の洗剤を溶解させる行程を所定時間Ｔａより長い所定時間Ｔｂ行った後、洗濯兼脱水槽２の回転を停止させ、給水弁１０を作動させて給水を開始し、水位検知手段１１が洗濯時の水位Ｓを検知すると、給水弁１０の動作を停止し、撹拌翼８を動作させ、洗濯行程を開始する。
【００２２】
このように、運転開始以前に洗濯兼脱水槽２内に水がある場合には、洗濯兼脱水槽２の回転により洗濯兼脱水槽２と外槽１との間の洗剤を溶解させる行程の時間を運転開始以前に洗濯兼脱水槽２内に水がない場合の時間よりも長くすることにより、洗濯行程前に洗剤溶解性をより高めることができ、洗浄性能を向上し、洗いむらを低減することができる。
【００２３】
（実施例２）
図２における制御手段１６は、運転開始以前に洗濯兼脱水槽２内に水がある場合には、洗濯兼脱水槽２の回転により洗濯兼脱水槽２と外槽１との間の洗剤を溶解させる行程の回数を運転開始以前に洗濯兼脱水槽２内に水がない場合の回数よりも多くするようにしている。他の構成は上記実施例１と同じである。
【００２４】
上記構成において図４を参照にしながら動作を説明すると、洗濯兼脱水槽２内に洗濯物を投入し、洗剤通路部１３に洗剤を投入した後、洗濯兼脱水槽２の回転により洗濯兼脱水槽２と外槽１との間の洗剤を溶解させる行程を行う所定水位Ｓａ以上の水位Ｓ１までバケツ等で給水し、運転を開始された場合、水位が高いほど外槽１と洗濯兼脱水槽２との間の洗剤（洗濯水）を撹拌する力は弱くなるため、所定時間Ｔａの洗濯兼脱水槽２の回転では、外槽１と洗濯兼脱水槽２との間に投下された洗剤は十分には溶解されない。
【００２５】
そこで、洗濯兼脱水槽２と外槽１との間の洗剤を溶解させる行程を所定時間Ｔａより長い所定時間Ｔｂ行った場合、モータ５に過大な負荷をかけてしまうため、所定時間Ｔｂで洗濯兼脱水槽２と外槽１との間の洗剤を溶解させる行程の回数を多く、間欠にすることにより、洗濯行程前に洗剤溶解性をより高めることができ、洗浄性能を向上し、洗いむらを低減することができるとともに、モータ５にかかる負荷を軽減することができる。
【００２６】
（実施例３）
図２における制御手段１６は、運転開始以前に洗濯兼脱水槽２内に水がある場合には、洗濯兼脱水槽２の回転により洗濯兼脱水槽２と外槽１との間の洗剤を溶解させる行程の回転数を、水位に応じて変更可能としている。他の構成は上記実施例１と同じである。
【００２７】
上記構成において図５および図６を参照にしながら動作を説明すると、洗濯兼脱水槽２内に洗濯物を投入し、洗剤通路部１３に洗剤を投入した後、図５（ａ）に示すように、洗濯兼脱水槽２の回転により洗濯兼脱水槽２と外槽１との間の洗剤を溶解させる行程を行う所定水位Ｓａ以上のはるか高い水位Ｓ３までバケツ等で給水し、運転を開始された場合、所定回転数Ｒａで回転させると、洗濯兼脱水槽２の回転により洗濯兼脱水槽２と外槽１との間の水が上昇し、洗濯兼脱水槽２の上端部の高さを越えて、外槽１の上部に設けられた散水用の吐出部より洗濯兼脱水槽２内へ溶解していない洗剤が流入してしまうため、回転数は、図５（ｂ）に示すように、所定回転数Ｒａより低い所定回転数Ｒ０に設定する。
【００２８】
また、洗濯兼脱水槽２内に洗濯物を投入し、洗剤通路部１３に洗剤を投入した後、図６（ａ）に示すように、洗濯兼脱水槽２の回転により洗濯兼脱水槽２と外槽１との間の洗剤を溶解させる行程を行う所定水位Ｓａ以上のやや高い水位Ｓ２までバケツ等で給水し、運転を開始された場合、所定回転数Ｒａの洗濯兼脱水槽２の回転では、外槽１と洗濯兼脱水槽２との間の洗剤（洗濯水）を撹拌する力は弱く、外槽１と洗濯兼脱水槽２との間に落下された洗剤は十分には溶解されない。
【００２９】
そこで、図６（ｂ）に示すように、回転数を洗濯兼脱水槽２の上端部の高さを越えて、外槽１の上部に設けられた散水用の吐出部より洗濯兼脱水槽２内へ洗剤が流入しない、かつ所定回転数Ｒａよりも高い所定回転数Ｒｂにすることにより、外槽１と洗濯兼脱水槽２との間の洗剤（洗濯水）を撹拌する力が増し、洗濯行程前に洗剤溶解性をより高めることができる。
【００３０】
このように、運転開始以前に洗濯兼脱水槽２内に水がある場合の洗濯兼脱水槽２の回転により洗濯兼脱水槽２と外槽１との間の洗剤を溶解させる行程の回転数を、水位に応じて変更することにより、洗剤を溶解させる行程を洗濯行程前に効率的に行うので、洗濯行程前に洗剤溶解性を効率的に高めることができ、洗浄性能を向上し、洗いむらを低減することができるとともに、溶解されていない洗剤の洗濯兼脱水槽２内への流入を防ぐことができる。
【００３１】
なお、上記各実施例では、洗濯時の水位Ｓを検知すると、撹拌翼８を動作させて洗濯行程を開始するよう構成しているが、洗濯行程で、洗濯兼脱水槽２を回転させて、その遠心力により洗濯水を循環させて洗濯するようにしてもよい。
【００３２】
また、上記各実施例では、運転開始以前に洗濯兼脱水槽２内に水がある場合として、バケツ等で給水された場合としているが、使用者が吸水ポンプを使って給水した場合、洗濯後あるいはすすぎ後に排水せず再び洗濯を行った場合などであっても同様である。
【００３３】
【発明の効果】
以上のように本発明の請求項１に記載の発明によれば、洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、前記洗剤を溶解させる行程の開始時において、前記水位検知手段が前記所定水位以上の水位を検知している場合は、前記給水弁を動作させることなく、前記所定回転数での回転を前記第１の所定時間より長い第２の所定時間行う前記洗剤を溶解させる行程を実行するようにしたから、バケツ等で給水された後、運転を開始された場合でも、洗剤を溶解させる行程の時間を長くすることにより、洗濯行程前における洗剤溶解性を高めることができ、洗浄性能を向上し、洗いむらを低減することができる。
【００３４】
また、請求項２に記載の発明によれば、洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、前記洗剤を溶解させる行程の開始時において、前記水位検知手段が前記所定水位以上の水位を検知している場合は、前記給水弁を動作させることなく、前記洗剤を溶解させる行程の回数を前記水位検知手段が所定水位を検知していない場合の前記洗剤を溶解させる行程の回数より多く実行するようにしたから、バケツ等で給水された後、運転を開始された場合でも、洗剤を溶解させる行程の回数を多くすることにより、洗濯行程前における洗剤溶解性を高めることができ、洗浄性能を向上し、洗いむらを低減することができるとともに、モータにかかる負荷を軽減することができる。
【００３５】
また、請求項３に記載の発明によれば、洗濯物を収容する洗濯兼脱水槽と、前記洗濯兼脱水槽を回転自在に収容した外槽と、前記洗濯兼脱水槽の内底部に回転自在に配設された撹拌翼と、前記洗濯兼脱水槽および前記撹拌翼を駆動する駆動手段と、前記洗濯兼脱水槽内に水を給水する給水弁と、前記外槽内の水位を検知する水位検知手段と、前記駆動手段、給水弁などの動作を制御し行程を制御する制御手段と、前記洗濯兼脱水槽と前記外槽との間に洗剤を投下させる洗剤投下手段とを備え、前記制御手段は、前記撹拌翼を回転させる洗濯行程の前に前記洗濯兼脱水槽の回転数を所定回転数まで上昇させ、この所定回転数での回転を第１の所定時間行った後、回転を停止することにより前記洗濯兼脱水槽と前記外槽との間の洗剤を溶解させる行程を実行するようにし、前記洗剤を溶解させる行程の開始時において、前記水位検知手段が所定水位より低い水位を検知している場合は、前記給水弁を動作させながら前記洗濯兼脱水槽を回転させ、前記水位検知手段が前記所定水位を検知すると、前記給水弁の動作を停止し、前記洗剤を溶解させる行程を実行するようにし、前記洗剤を溶解させる行程の開始時において、前記水位検知手段が前記所定水位以上の水位を検知している場合は、前記給水弁を動作させることなく、前記水位検知手段が検知した水位に応じて変更した所定回転数で前記洗剤を溶解させる行程を実行するようにしたから、バケツ等で給水された後、運転を開始された場合でも、洗剤を溶解させる行程を洗濯行程前に効率的に行うので、洗濯行程前に洗剤溶解性を効率的に高めることができ、洗浄性能を向上し、洗いむらを低減することができるとともに、溶解されていない洗剤の洗濯兼脱水槽内への流入を防ぐことができる。
【図面の簡単な説明】
【図１】  本発明の第１の実施例の洗濯機の縦断面図
【図２】  同洗濯機のブロック回路図
【図３】  同洗濯機の要部動作タイムチャート
【図４】  本発明の第２の実施例の洗濯機の要部動作タイムチャート
【図５】  本発明の第３の実施例の洗濯機の運転開始以前に洗濯兼脱水槽内の水位が高いときの要部動作タイムチャート
【図６】  同洗濯機の運転開始以前に洗濯兼脱水槽内の水位がやや高いときの要部動作タイムチャート
【図７】  従来の洗濯機の縦断面図
【符号の説明】
１    外槽
２    洗濯兼脱水槽
５    モータ（駆動手段）
１３  洗剤通路部（洗剤投下手段）
１６  制御手段
【図１】
0004214636.tif 000002
【図２】
0004214636.tif 000003
【図３】
0004214636.tif 000004
【図４】
0004214636.tif 000005
【図５】
0004214636.tif 000006
【図６】
0004214636.tif 000007
【図７】
0004214636.tif 000008